(57)【要約】【課題】電動式の昇降天板付きデスクにおいて、制御ユニットへの配線作業を容易にしてメンテナンス性を向上させる。【解決手段】昇降天板付きデスク１は、天板２と、天板２の下面に取り付けられた梁部材群３と、天板２及び梁部材群３を上下方向に移動させる電動式の昇降ユニット４を有する脚部５と、昇降ユニット４の動作を制御する制御ユニット６を備えている。制御ユニット６は梁部材群３よりも下方に配置されている。【選択図】図１
2019076392.tif 000002
【特許請求の範囲】
【請求項１】
天板と、前記天板の下面に取り付けられた梁部材と、前記天板及び前記梁部材を上下方向に移動させる電動式の昇降ユニットを有する脚部と、前記昇降ユニットの動作を制御する制御ユニットを備え、
前記制御ユニットが前記梁部材よりも下方に配置されている昇降天板付きデスク。
【請求項２】
前記制御ユニットを支持するユニット支持部材は、物品を載置可能な載置部を備えている請求項１に記載の昇降天板付きデスク。
【請求項３】
前記天板は、前記ユニット支持部材の上方に開口部を備えている請求項２に記載の昇降天板付きデスク。
【請求項４】
前記昇降ユニットの端子接続部は、前記天板の下面と前記梁部材の下面との間の高さ位置に配置されており、
前記端子接続部と前記梁部材との間に、少なくとも作業者の指が入る程度の間隔が設けられている請求項１から３のいずれか一項に記載の昇降天板付きデスク。
【発明の詳細な説明】
【技術分野】
【０００１】
本発明は、昇降天板付きデスクに関するものである。
【背景技術】
【０００２】
従来、天板の高さを調節することができる昇降天板付きデスクが知られている（例えば特許文献１，２を参照。）。デスク使用者の体格差や立位での作業に合わせて天板の高さを調節することで、デスク使用者は、理想的な姿勢を保つことができ、効率的かつ効果的に能力を発揮できる。
【０００３】
また、天板を上下方向に移動させる昇降ユニットとして、電動式のものが知られている（例えば特許文献３を参照。）。このような電動式の昇降ユニットは、電気モータの駆動により上下方向に伸縮可能に構成されている。昇降ユニットの動作は、昇降天板付きデスクに別途取り付けられる制御ユニットによって制御される。
【先行技術文献】
【特許文献】
【０００４】
【特許文献１】特開２０１７−７９８９０号公報
【特許文献２】特開２０１６−２０２８８３号公報
【特許文献３】特表２０１７−５１９５４６号公報
【発明の概要】
【発明が解決しようとする課題】
【０００５】
昇降天板付きデスクにおいて、電動式の昇降ユニットの動作を制御する制御ユニットは、天板の下面に取り付けられた梁部材の内部に配置されることが多い（例えば特許文献１，２を参照。）。しかし、制御ユニットが梁部材の内部に配置されていると、制御ユニットへの配線作業がしにくいことからメンテナンス性が良いとは言えず、改善の余地があった。例えば、天板サイズが小さくなると、制御ユニットを収容する梁部材に他の梁部材が近接するなど、制御ユニットへの配線作業がより困難になる。
【０００６】
本発明は、このような現状を改善すべく成されたものであり、電動式の昇降天板付きデスクにおいて、制御ユニットへの配線作業を容易にしてメンテナンス性を向上させることを目的とするものである。
【課題を解決するための手段】
【０００７】
本発明の昇降天板付きデスクは、天板と、前記天板の下面に取り付けられた梁部材と、前記天板及び前記梁部材を上下方向に移動させる電動式の昇降ユニットを有する脚部と、前記昇降ユニットの動作を制御する制御ユニットを備え、前記制御ユニットが前記梁部材よりも下方に配置されているものである。
【０００８】
本発明の昇降天板付きデスクでは、制御ユニットが梁部材よりも下方に配置されているので、制御ユニットへの配線作業の際に梁部材が邪魔にならず、当該配線作業が容易になり、メンテナンス性が向上する。また、例えば、天板サイズが小さい場合であっても、制御ユニットへの配線作業の際に梁部材が邪魔にならないのでメンテナンス性が向上するとともに、制御ユニットを一対の昇降ユニットの間（例えば天板中央部の下方）に配置でき、側方視でのデスク全体の見栄えを良くできる。
【０００９】
本発明の昇降天板付きデスクにおいて、前記制御ユニットを支持するユニット支持部材は、物品を載置可能な載置部を備えているようにしてもよい。
【００１０】
この態様によれば、ユニット支持部材が載置部を備えていることで、載置部に電源タップや配線等の物品を載置でき、物品収納性が向上する。
【００１１】
さらに、前記天板は、前記ユニット支持部材の上方に開口部を備えているようにしてもよい。
【００１２】
この態様によれば、天板に載置される電子機器等に対して、天板の下方から上記開口部を介して電源ケーブルやＬＡＮケーブル等の配線を接続でき、天板の周縁から配線を垂らす必要が無くなるので、配線がデスク使用者の邪魔にならず、また、見栄えが向上する。また、デスク使用者は天板の上方側からユニット支持部材の載置部にアクセスでき、利便性が向上する。
【００１３】
また、本発明の昇降天板付きデスクにおいて、前記昇降ユニットの端子接続部は、前記天板の下面と前記梁部材の下面との間の高さ位置に配置されており、前記端子接続部と前記梁部材との間に、少なくとも作業者の指が入る程度の間隔が設けられているようにしてもよい。
【００１４】
この態様によれば、天板を組み付けた状態で昇降ユニットへの配線作業が可能になるので、デスクの組立作業性及びメンテナンス性が良い。
【発明の効果】
【００１５】
本発明の昇降天板付きデスクは、制御ユニットが梁部材よりも下方に配置されているので、制御ユニットへの配線作業が容易になり、メンテナンス性が向上する。
【図面の簡単な説明】
【００１６】
【図１】一実施形態を示す図であり、（Ａ）は正面図、（Ｂ）は側面図である。
【図２】同実施形態を示す図であり、（Ａ）は斜め上から見た斜視図、（Ｂ）は斜め下から見た斜視図である。
【図３】同実施形態の梁部材及びユニット支持部材等を斜め上から見た斜視図である。
【図４】同梁部材及びユニット支持部材等の底面図である。
【図５】（Ａ）は図４のＡ−Ａ視断面図、（Ｂ）は図４のＢ−Ｂ視断面図である。
【図６】梁部材、ユニット支持部材及び制御ユニット等の分解斜視図である。
【図７】（Ａ）はユニット支持部材を斜め上から見た斜視図、（Ｂ）は同ユニット支持部材を斜め下から見た斜視図である。
【図８】配線の接続状態を説明するための図であり、斜め上から見た斜視図である。
【図９】配線の接続状態を説明するための図であり、斜め下から見た斜視図である。
【図１０】他の実施形態を示す図であり、（Ａ）は正面図、（Ｂ）は側面図である。
【図１１】同実施形態を示す図であり、（Ａ）は斜め上から見た斜視図、（Ｂ）は斜め下から見た斜視図である。
【図１２】同実施形態の梁部材及びユニット支持部材等を斜め上から見た斜視図である。
【図１３】同梁部材及びユニット支持部材等の底面図である。
【図１４】（Ａ）は図１３のＣ−Ｃ視断面図、（Ｂ）は図１３のＤ−Ｄ視断面図である。
【図１５】梁部材、ユニット支持部材及び制御ユニット等の分解斜視図である。
【図１６】（Ａ）はユニット支持部材を斜め上から見た斜視図、（Ｂ）は同ユニット支持部材を斜め下から見た斜視図である。
【図１７】配線の接続状態を説明するための図であり、斜め上から見た斜視図である。
【図１８】操作スイッチ周辺を拡大して示す図であり、（Ａ）は平面図、（Ｂ）は斜め上から見た斜視図である。
【発明を実施するための形態】
【００１７】
次に、本発明の実施形態を図面に基づいて説明する。本明細書では、便宜上、方向を特定するため前後・左右の文言を使用するが、この前後・左右の方向は、一対の脚部５，５が配列される方向を左右方向とし、水平面内で左右方向に直交する方向を前後方向とする。また、操作スイッチ１５が配置される側を前側とする。なお、本発明は、以下に説明する実施形態で特定される方向での構成に限定されるものではない。
【００１８】
図１，２に示すように、昇降天板付きデスク１（以下、単にデスク１とも称す。）は、天板２と、天板２の下面に取り付けられた梁部材群３と、天板２及び梁部材群３を上下方向に移動させる電動式の昇降ユニット４を有する脚部５と、昇降ユニット４の動作を制御する制御ユニット６を備えている。制御ユニット６は、梁部材群３よりも下方に配置されている。
【００１９】
この実施形態では、一対の脚部５，５が左右方向（幅方向）に離間して配置されている。各脚部５は、床面上に配置される接地脚７と、接地脚７に立設される昇降ユニット４を備えている。接地脚７は、前後方向に延設されている。接地脚７の下面の前後端部には、脚部５の高さ及び水平の調整を行うためのアジャスタ８が設けられている。
【００２０】
一対の接地脚７，７の前後中央部同士は、左右方向に延設された下ビーム部材９で連結されている。接地脚７の上面中央部に、上下方向に延設される昇降ユニット４の下端が連結されている。昇降ユニット４，４の上端は、左右方向に離間して天板２の下面に取り付けられた一対のアーム部材１０，１０に連結されている。
【００２１】
昇降ユニット４は、上下方向に伸縮可能に構成されている。具体的には、昇降ユニット４は、電気モータ等の駆動源を収容するハウジング部１１と、ハウジング部１１の下面に連結された内筒部材１２と、内筒部材１２の外周に被せられた中間筒部材１３と、中間筒部材１３の外周に被せられた外筒部材１４とを備えている。筒部材１２，１３，１４は、上下方向に延びる円筒状にそれぞれ形成されている。
【００２２】
ハウジング部１１及び筒部材１２，１３，１４の内部に、外筒部材１４に対して筒部材１２，１３をそれぞれ上下移動させる駆動機構が設けられている。ハウジング部１１内の電気モータ等の駆動源により、上記駆動機構を作動させることで、昇降ユニット４を上下方向に伸縮できるように構成されている。これにより、脚部５は、天板２、梁部材群３及びアーム部材１０を昇降可能に支持している。
【００２３】
天板２は、平面視で略正方形であり、その中央部に上下方向に貫通する開口部２ａを備えている。開口部２ａには、２枚のカバー体２ｂ，２ｂが着脱可能に配置されている。カバー体２ｂ，２ｂは、端部が開口部２ａに露出するようにして天板２の下面に取り付けられた４つのカバー体支持部材２ｃ（図５参照）の上に載置される。また、天板２の前端部左寄り部位の下面には、昇降ユニット４を伸縮動作させるための操作入力を行う操作スイッチ１５が取り付けられている。
【００２４】
図３，４にも示すように、天板２の下面に、複数の梁部材１６，１７，１８を有する梁部材群３と、一対のアーム部材１０，１０とが取り付けられている。アーム部材１０は、前後方向に延びるアーム筒部１９と、アーム筒部１９の中央部から横向きに突設されたハウジング取付け部２０とを備えている。
【００２５】
アーム筒部１９及びハウジング取付け部２０は、複数のボルト２１によって天板２の下面に取り付けられる。ハウジング取付け部２０内に、昇降ユニット４のハウジング部１１が収容されて固定されることで、昇降ユニット４（脚部５）の上部とアーム部材１０が連結される。
【００２６】
アーム筒部１９の下面には前後方向に延びる溝条部が形成されており、その溝条部に、前後方向に延びる樹脂製のアームカバー部材２２が着脱可能に取り付けられている。また、アーム筒部１９の前後端部には、樹脂製のアームキャップ部材２３が着脱可能に取り付けられている。
【００２７】
梁部材群３は、前後一対の内側梁部材１６，１６と、前後一対の外側梁部材１７，１７と、左右一対の補強梁部材１８，１８とを備えている。梁部材１６，１７は左右方向に延びて配置され、補強梁部材１８は前後方向に延びて配置される。
【００２８】
前後一対の内側梁部材１６，１６は、平面視で天板２の開口部２ａを挟んで配置されている。内側梁部材１６，１６の左右両端部はアーム筒部１９，１９に連結されている。前後一対の外側梁部材１７，１７は、内側梁部材１６，１６を挟んで配置され、内側梁部材１６よりも前後外側の位置でアーム筒部１９，１９に連結される。梁部材１６，１７は、複数のボルト２４，２５によって天板２の下面に取り付けられる。なお、内側梁部材１６，１６の両端部は、アーム筒部１９，１９の対向側面に横向きに突設された前後一対のブラケット１９ａ，１９ａに、ボルト２４ａ及びナット２４ｂによって固定されている（図５（Ｂ）も参照）。
【００２９】
左右一対の補強梁部材１８，１８は、平面視で天板２の開口部２ａを挟んで配置されている。補強梁部材１８，１８の前後両端部は、内側梁部材１６，１６に固着されている。具体的には、内側梁部材１６の内側側壁部１６ａに設けられた左右一対の切欠き部１６ｂ，１６ｂに、補強梁部材１８，１８の端部が差し込まれた状態で、梁部材１６，１８同士が溶接等により固着されている。この実施形態では、補強梁部材１８，１８は、天板２に固着されておらず、内側梁部材１６，１６に架設されている。
【００３０】
図５，６にも示すように、補強梁部材１８，１８の底面部１８ａ，１８ａに、制御ユニット６を支持するユニット支持部材２６が取り付けられている。ユニット支持部材２６は、左右一対のアーム部２７，２７と、アーム部２７，２７の下端部に連結された本体部２８を備えている。本体部２８は、天板２の開口部２ａの下方に配置されている。
【００３１】
図７にも示すように、アーム部２７は、前後方向に延びる取付け面部２７ａと、取付け面部２７ａの左右方向で内側の側部から斜め下方に延びる前後一対の傾斜部２７ｂ，２７ｂと、前後方向に延びて傾斜部２７ｂ，２７ｂの下端部同士を連結する連結部２７ｃとを備えている。取付け面部２７ａには、前後一対の取付け穴２７ｄ，２７ｄが設けられている。取付け穴２７ｄは、大径穴２７ｅと小径穴２７ｆが連結された鍵穴状に形成されている。大径穴２７ｅの径は、ユニット支持部材２６を補強梁部材１８に取り付けるための支持部材取付け用ボルト２９の頭部径よりも大きく、小径穴２７ｆの径は支持部材取付け用ボルト２９の頭部径よりも小さい。これにより、支持部材取付け用ボルト２９を補強梁部材１８から取り外さなくても、ユニット支持部材２６を着脱できるように構成されている。
【００３２】
なお、補強梁部材１８の底面部１８ａには、上下方向に貫通する前後一対のボルト挿通穴１８ｂ，１８ｂ（図６参照）が形成され、底面部１８ａの上面には、ボルト挿通穴１８ｂ，１８ｂの位置に対応してナット１８ｃ，１８ｃが固着されている（図５（Ｂ）参照）。支持部材取付け用ボルト２９をユニット支持部材２６の取付け穴２７ｄ及び補強梁部材１８のボルト挿通穴１８ｂに下方側から挿通してナット１８ｃに取り付けることで、ユニット支持部材２６が補強梁部材１８に固定支持される。
【００３３】
ユニット支持部材２６の本体部２８は、アーム部２７の取付け面部２７ａと連結部２７ｃとの間の高さ位置に配置される左右横長の上面部２８ａと、上面部２８ａの前後両端部から下方へ向けて突設された前後一対の側壁部２８ｂ，２８ｂと、側壁部２８ｂ，２８ｂの下端部から前後外側へ向けて延出された前後一対の延出部２８ｃ，２８ｃと、延出部２８ｃ，２８ｃの前後外側端部から外側斜め上方へ向けて突設された前後一対の外壁面部２８ｄ，２８ｄとを備えている。これらの面部２８ａ，２８ｂ，２８ｃ，２８ｄの前後端部と外壁面部２８ｄの上端部には、折り返し曲げ加工された折り返し形状部２８ｅがそれぞれ形成されている。
【００３４】
本体部２８の側壁部２８ｂの下端部の前後端部位には、左右方向に延びるスリット２８ｆ，２８ｆが形成されている。スリット２８ｆにアーム部２７の連結部２７ｃが差し込まれており、連結部２７ｃは延出部２８ｃの上面の左右端部位に固着されている。
【００３５】
制御ユニット６は、ユニット支持部材２６に対して、本体部２８の上面部２８ａ及び側壁部２８ｂ，２８ｂで囲まれるユニット配置空間に配置される。制御ユニット６の左右方向の両側面は、配線コネクタや電源プラグ等の配線端子が接続されるソケットが配置される端子接続面６ａ，６ａを構成している。制御ユニット６がユニット支持部材２６に支持された状態で、端子接続面６ａ，６ａは左右方向に露出しており、端子接続面６ａに対して、アーム部２７の傾斜部２７ｂ，２７ｂの間の空間を介して配線端子３３ｂ，３４ａ，３５ａ（図８，９参照）を抜き差し可能に構成されている。
【００３６】
このように、制御ユニット６が梁部材１６，１７，１８よりも下方に配置されているので、制御ユニット６への配線作業の際に梁部材１６，１７，１８が邪魔にならず、当該配線作業が容易になり、メンテナンス性が向上する。さらに、天板２を取り外さなくても制御ユニット６への配線作業を行えるので、メンテナンス性が良い。
【００３７】
図７にも示すように、左右のアーム部２７，２７の連結部２７ｃ，２７ｃの間隔は、制御ユニット６の左右方向寸法よりも広く設定されており、ユニット支持部材２６の下方側から上記ユニット配置空間内に出し入れ可能に構成されている。すなわち、ユニット支持部材２６が補強梁部材１８に取り付けられた状態で、制御ユニット６をユニット支持部材２６に着脱可能に構成されている。
【００３８】
上面部２８ａの下面には、上面部２８ａの下面とは間隔を空けて配置されるユニット取付け面部３０ａを有するユニット取付け部材３０が固着されている。ユニット取付け面部３０ａには、左右一対のボルト挿通穴３０ｂ，３０ｂが形成されている。ユニット取付け面部３０ａの上面には、ボルト挿通穴３０ｂ，３０ｂの位置に対応して左右一対のナット３１，３１が固着されている。また、制御ユニット６には、上下方向に貫通する左右一対のボルト挿通穴６ｂ，６ｂが設けられており、ユニット取付け用ボルト３２が下方側からボルト挿通穴６ｂ，３０ｂを介してナット３１に取り付けられることで、制御ユニット６がユニット支持部材２６に固定支持される。
【００３９】
このように、ユニット支持部材２６への制御ユニット６の出し入れ方向と、２本のユニット取付け用ボルト３２，３２の取付け方向は、ともに上下方向で同じなので、ユニット支持部材２６への制御ユニット６の着脱作業に関して作業効率が良い。なお、デスク１の組立作業に際して、天板２の下面を上方へ向けて配置して梁部材群３やアーム部材１０等の組付け作業を行う場合には、各種ボルト２１，２４，２４ａ，２５，２５，３２等は上方側から取り付けられる。
【００４０】
ところで、ユニット支持部材２６は、制御ユニット６を支持するだけでなく、配線受け等の物品載置部材としても機能する。すなわち、ユニット支持部材２６の本体部２８の上面、特に上面部２８ａ及び延出部２８ｃ，２８ｃの上面は、例えば電源タップやケーブル（配線）等の物品を載置可能な載置部２６ａを構成する。ユニット支持部材２６が載置部２６ａを備えていることで、デスク１の物品収納性が向上されている。さらに、制御ユニット６がユニット支持部材２６の本体部２８の下面に取り付けられているので、使用状態において、天板２の開口部２ａを通じて配線処理等をする際に、制御ユニット６が邪魔になることは無く、また視認し得ないので美感への悪影響も無い。
【００４１】
また、図３，５，６等に示すように、制御ユニット６をユニット支持部材２６に取り付けるためのユニット取付け用ボルト３２及びナット３１は、ユニット支持部材２６（上面部２８ａ）の上面には露出していない。これにより、天板２の開口部２ａを介して視認され得るユニット支持部材２６上面の美感を向上できると共に、載置部２６ａ上に載置される配線等がボルトやナットに引っかかる不具合を防止できる。
【００４２】
また、天板２は、ユニット支持部材２６の上方に開口部２ａを備えている。したがって、天板２に載置される電子機器等に対して、天板２の下方から開口部２ａを介して電源ケーブルやＬＡＮケーブル等の配線を接続できる。これにより、天板２の周縁から配線を垂らす必要が無くなるので、配線がデスク使用者の邪魔にならず、また、見栄えが向上する。また、デスク使用者は天板２の上方側からユニット支持部材２６の載置部２６ａにアクセスでき、利便性が向上する。
【００４３】
なお、カバー体２ｂ，２ｂは、開口部２ａに配置された状態で、開口部２ａの前後縁部とカバー体２ｂとの間や、カバー体２ｂ，２ｂ同士の間に、電源ケーブルやＬＡＮケーブル等の配線を挿通可能な程度の隙間が形成される大きさに形成されている。これにより、開口部２ａに配線が挿通されている状態であっても、天板２の上面から開口部２ａへの物品の脱落が防止されるとともに、開口部２ａからのカバー体２ｂの取出しが容易になっている。
【００４４】
図８，９に示すように、昇降ユニット４，４のハウジング部１１，１１と制御ユニット６は、一対の昇降制御用ケーブル３３，３３を介して電気的に接続されている。図４及び図５（Ｂ）に示すように、昇降ユニット４の端子接続部４ａは、ハウジング部１１の内側向き側面１１ａに設けられている。端子接続部４ａは、天板２と梁部材１６，１７，１８の下面との間の高さ位置に設けられている。端子接続部４ａには昇降制御用ケーブル３３の一端側の配線端子３３ａが接続される。昇降制御用ケーブル３３の他端側の配線端子３３ｂは、制御ユニット６の端子接続面６ａに設けられた端子接続部６ｃ（図６も参照）に接続される。
【００４５】
ハウジング部１１の内側向き側面１１ａには、補強梁部材１８が左右方向で対峙している。補強梁部材１８の外側側壁部１８ｄの上縁部中央部位には、昇降制御用ケーブル３３及び配線端子３３ａを挿通可能な切欠き部１８ｅが形成されている。また、補強梁部材１８の内側側壁部１８ｆの中央部位には、昇降制御用ケーブル３３及び配線端子３３ａを挿通可能な開口部１８ｇが形成されている。昇降制御用ケーブル３３が切欠き部１８ｅ及び開口部１８ｇを介して配線されることで、昇降制御用ケーブル３３の中途部が補強梁部材１８に支持される。
【００４６】
また、補強梁部材１８と端子接続部４ａとの間には、少なくとも作業者の指が入る程度の間隔Ｗ（図４参照）が設けられている。これにより、アーム部材１０及び梁部材１６，１７に天板２が取り付けられた状態であっても、作業者は、下方側から配線端子３３ａを端子接続部４ａに着脱できる。このように、天板２を組み付けた状態で昇降ユニット４への配線作業が可能なので、デスク１の組立作業性及びメンテナンス性が向上する。
【００４７】
なお、制御ユニット６の一方の端子接続面６ａには、制御ユニット６に電力を供給するための電源ケーブル３４の電源端子（電源プラグ）３４ａが接続される電源端子接続部６ｄ（図６も参照）が設けられている。また、他方の端子接続面６ａには、操作スイッチ１５（図１−３を参照）から延びる操作スイッチ配線３５の配線端子３５ａが接続される端子接続部（図示省略）が設けられている。
【００４８】
上述のように、制御ユニット６は梁部材１６，１７，１８よりも下方に配置されている。また、制御ユニット６の端子接続面６ａ，６ａは左右方向に露出している。したがって、天板２や制御ユニット６を取り外さなくても、配線端子３３ｂ，３５ａや電源端子３４ａの制御ユニット６への着脱作業を容易に行うことができる。
【００４９】
なお、操作スイッチ１５につながる操作スイッチ配線３５は、一方のアーム部材１０の前後一端部から、アーム筒部１９の内部、一方の内側梁部材１６の内部及び一方の補強梁部材１８の内部を通って、開口部１８ｇから引き出されている。
【００５０】
図３及び図５（Ｂ）に示すように、アーム筒部１９の内側側壁部１９ｂには、内側梁部材１６，１６の連結位置に対応して、前後一対の配線挿通穴１９ｃ，１９ｃが操作スイッチ配線３５及び配線端子３５ａを挿通可能な大きさで形成されている。また、内側梁部材１６の内側側壁部１６ａの上端部は、天板２の下面との間に隙間Ｈ１を空けて配置されている。補強梁部材１８の側壁部１８ｄ，１８ｆの上端部は、天板２との間に隙間Ｈ２を空けて配置されている。隙間Ｈ１，Ｈ２は、操作スイッチ配線３５及び配線端子３５ａを挿通可能な大きさに形成されている。また、上述のように、アーム部材１０のアームカバー部材２２及びアームキャップ部材２３は、アーム筒部１９に着脱可能に設けられている。
【００５１】
すなわち、天板２を取り付けた状態で、アームカバー部材２２及びアームキャップ部材２３を取り外すことでアーム筒部１９内に操作スイッチ配線３５を配線可能に構成されている。さらに、天板２と内側梁部材１６の内側側壁部１６ａとの間の隙間Ｈ１、及び天板２と補強梁部材１８との間の隙間Ｈ２を利用することで、操作スイッチ配線３５の配線端子３５ａを、アーム筒部１９側から配線挿通穴１９ｃを介して内側梁部材１６側へ取り出し、さらに補強梁部材１８の内側から開口部１８ｇを介してユニット支持部材２６側（制御ユニット６側）へ取り出すことが可能に構成されている。つまり、天板２を取り付けた状態で、操作スイッチ配線３５をアーム筒部１９、内側梁部材１６及び補強梁部材１８の内部に配線可能に構成されている。
【００５２】
このように、天板２に梁部材群３や脚部５、アーム部材１０等を組み付けた状態で、操作スイッチ配線３５の配線作業を行えるので、梁部材群３等を天板２に組み付ける際に操作スイッチ配線３５が邪魔にならず、組立作業性が良い。また、例えば操作スイッチ１５や配線端子３５ａの故障や操作スイッチ配線３５の断線、配線端子３５ａの故障などが生じた場合に、天板２等を取り外すことなく、操作スイッチ１５及び操作スイッチ配線３５を交換可能なので、メンテナンス性が良い。
【００５３】
以上説明したように、デスク１は、天板２と、天板２の下面に取り付けられた梁部材１６，１７，１８と、天板２及び梁部材１６，１７，１８を上下方向に移動させる電動式の昇降ユニット４を有する脚部５と、昇降ユニット４の動作を制御する制御ユニット６を備え、制御ユニット６が梁部材１６，１７，１８よりも下方に配置されているので、制御ユニット６への配線作業の際に梁部材１６，１７，１８が邪魔にならず、当該配線作業が容易になり、メンテナンス性が向上する。
【００５４】
また、デスク１では、制御ユニット６は昇降ユニット４，４の端子接続部４ａ，４ａよりも低い高さ位置に配置されていることで、天板２の小サイズ化に適用できる。すなわち、昇降ユニット４，４の間の間隔が狭い場合であっても、制御ユニット６の端子接続面６ａ，６ａと端子接続部４ａ，４ａとが異なる高さ位置に配置されていることで、平面視で昇降ユニット４，４の間に制御ユニット６を配置しながら、端子接続面６ａ，６ａ及び端子接続部４ａ，４ａにそれぞれプラグ等の配線端子を接続するスペースを確保できる。
【００５５】
このように、制御ユニット６が昇降ユニット４，４の端子接続部４ａ，４ａよりも低い高さ位置に配置されている構造は、天板２のサイズを小さくしても、制御ユニット６及びユニット支持部材２６を昇降ユニット４，４の間（平面視で天板２の中央部）に配置でき、側方視でのデスク全体の見栄えを良くできる。
【００５６】
次に、他の実施形態を図１０〜１８に基づいて説明する。この実施形態において、図１〜９を参照しながら説明した上記実施形態と共通している部分については、図面では共通した符号を示しており、必要がない限り説明は省略する。
【００５７】
図１０，１１に示すように、昇降天板付きデスク１Ａ（以下、単にデスク１Ａとも称す。）は、平面視で略円形の天板２を備えている。天板２の下面には、略正方形の天板を有するデスク１（図１〜９参照）と同様に、左右一対のアーム部材１０，１０と、前後一対の内側梁部材１６，１６と、操作スイッチ１５が取り付けられている。操作スイッチ１５は、天板２の右前部位に配置されている。アーム部材１０，１０には、昇降ユニット４を有する左右一対の脚部５，５が連結されている。なお、デスク１Ａは、デスク１に設けられる外側梁部材１７，１７及び補強梁部材１８，１８を備えていない。
【００５８】
図１２〜１５にも示すように、前後一対の内側梁部材１６，１６の底面部１６ｃ，１６ｃに、制御ユニット６を支持するユニット支持部材２６が取り付けられている。ユニット支持部材２６の本体部２８は、内側梁部材１６，１６の下面よりも下方に配置されている。デスク１Ａにおいて、ユニット支持部材２６のアーム部２７，２７は、本体部２８に対して前後方向に配置されている。
【００５９】
図１６にも示すように、アーム部２７の取付け面部２７ａは左右方向に延びて配置される。取付け面部２７ａの前後方向で内側の側部からは、左右一対の傾斜部２７ｂ，２７ｂが斜め下方に向かって延出している。傾斜部２７ｂ，２７ｂの下端部同士は、左右方向に延びる連結部２７ｃで連結されている。本体部２８において、外壁面部２８ｄの下端部の中央部位には、左右方向に延びるスリット２８ｇ，２８ｇが形成されている。スリット２８ｆにアーム部２７の連結部２７ｃが差し込まれており、連結部２７ｃは延出部２８ｃの上面の前後外側部位に固着されている。
【００６０】
なお、内側梁部材１６の底面部１６ｃには、上下方向に貫通する左右一対のボルト挿通穴１６ｄ，１６ｄ（図１５参照）が形成され、底面部１６ｃの上面には、ボルト挿通穴１６ｄ，１６ｄの位置に対応してナット１６ｅ，１６ｅが固着されている（図１４（Ｂ）参照）。支持部材取付け用ボルト２９をユニット支持部材２６の取付け穴２７ｄ及びボルト挿通穴１６ｄに下方側から挿通してナット１６ｅに取り付けることで、ユニット支持部材２６が内側梁部材１６に固定支持される。
【００６１】
デスク１Ａでも、制御ユニット６は、ユニット支持部材２６に対して、本体部２８の上面部２８ａ及び側壁部２８ｂ，２８ｂで囲まれるユニット配置空間に配置される。すなわち、制御ユニット６は内側梁部材１６，１６よりも下方に配置されている。また、デスク１の構成と同様に、制御ユニット６の端子接続面６ａ，６ａ（左右方向の両側面）は左右方向に露出しており、端子接続面６ａに対して配線端子３３ｂ，３４ａ，３５ａ（図１７参照）を抜き差し可能に構成されている。
【００６２】
このように、制御ユニット６が内側梁部材１６，１６よりも下方に配置されているので、制御ユニット６への配線作業の際に内側梁部材１６，１６が邪魔にならず、当該配線作業が容易になり、メンテナンス性が向上する。さらに、天板２を取り外さなくても制御ユニット６への配線作業を行えるので、メンテナンス性が良い。
【００６３】
また、デスク１Ａでも、ユニット支持部材２６への制御ユニット６の出し入れ方向と、２本のユニット取付け用ボルト３２，３２の取付け方向は、ともに上下方向で同じなので、ユニット支持部材２６への制御ユニット６の着脱作業に関して作業効率が良い。
【００６４】
さらに、デスク１Ａでも、ユニット支持部材２６の本体部２８の上面は、物品を載置可能な載置部２６ａを構成するので、デスク１の物品収納性が向上されている。また、ユニット取付け用ボルト３２及びナット３１は、ユニット支持部材２６（上面部２８ａ）の上面には露出していないので、天板２の開口部２ａを介して視認され得るユニット支持部材２６上面の美感を向上できると共に、載置部２６ａ上に載置される配線等がボルトやナットに引っかかる不具合を防止できる。
【００６５】
また、デスク１Ａでも、天板２は、中央部（ユニット支持部材２６の上方）に開口部２ａを備えているので、開口部２ａを介して電源ケーブルやＬＡＮケーブル等の配線を天板２の上面側へ取り出すことができる。したがって、このような配線がデスク使用者の邪魔にならず、また、見栄えが向上する。また、デスク使用者は天板２の上方側からユニット支持部材２６の載置部２６ａにアクセスでき、利便性が向上する。
【００６６】
図１７に示すように、昇降ユニット４，４のハウジング部１１，１１と制御ユニット６は、一対の昇降制御用ケーブル３３，３３を介して電気的に接続されている。デスク１Ａでは、ハウジング部１１，１１の内側向き側面１１ａ，１１ａに設けられる左右一対の端子接続部４ａ，４ａの間に、梁部材等は存在しない。つまり、端子接続部４ａに対峙する障害物はない。これにより、昇降ユニット４の端子接続部４ａへの配線端子３３ａの着脱作業をさらに行い易くなっている。なお、制御ユニット６の端子接続面６ａは左右方向に露出しているので、制御ユニット６の端子接続部６ｃ（図１５も参照）への配線端子３３ｂの着脱作業も容易に行える。
【００６７】
なお、内側梁部材１６の内側側壁部１６ａには、左右一対の開口部１６ｆが形成されている。開口部１６ｆは、操作スイッチ配線３５及び配線端子３５ａを挿通可能な大きさを有する。操作スイッチ１５につながる操作スイッチ配線３５は、一方のアーム部材１０の前後一端部から、アーム筒部１９の内部、一方の内側梁部材１６の内部を通って、開口部１６ｆから引き出されている。
【００６８】
また、内側梁部材１６の内側側壁部１６ａの上端部と天板２の下面との間には、操作スイッチ配線３５及び配線端子３５ａを挿通可能な程度の隙間Ｈ１が形成されている。したがって、天板２を取り付けた状態であっても、天板２と内側梁部材１６の内側側壁部１６ａとの間の隙間Ｈ１を利用して、操作スイッチ配線３５の配線端子３５ａを、アーム筒部１９側から配線挿通穴１９ｃを介して内側梁部材１６側へ取り出し、さらに開口部１６ｆを介してユニット支持部材２６側（制御ユニット６側）へ取り出すことが可能に構成されている。つまり、デスク１Ａでも、天板２を取り付けた状態で、操作スイッチ配線３５をアーム筒部１９、内側梁部材１６及び補強梁部材１８の内部に配線可能に構成されており、デスク１Ａの組立作業性及びメンテナンス性が向上されている。
【００６９】
また、図１８に示すように、平面視で略円形の天板２の側面には、操作スイッチ１５の取付位置に対応して平坦側面部２ｄが設けられている。天板２の下面に取り付けられる操作スイッチ１５は、平面視で略矩形であり、天板２の裏面との接触面の外側縁部に上向きに突設する起立部１５ａを備えている。つまり、操作スイッチ１５は、側面視で略Ｌ字形に形成されている。起立部１５ａは、平面視で直線状に形成されており、平坦側面部２ｄに対峙して配置される。
【００７０】
このように、略円形の天板２の側面のうち、操作スイッチ１５の起立部１５ａに対峙する箇所を平坦側面部２ｄで構成することで、天板２の側面（平坦側面部２ｄ）と起立部１５ａとの間の隙間を無くす又は小さくすることができる。したがって、天板２の側面と起立部１５ａとの間にデスク使用者の衣服等の異物が侵入することを防止でき、操作スイッチ１５の破損を防止できるとともに、衣服等の引っ掛かりを防止してデスク使用者の快適性を向上できる。
【００７１】
以上、本発明の実施形態を説明したが、本発明は他にも様々に具体化でき、本発明の趣旨を逸脱しない範囲で、種々の変更が可能である。
【００７２】
例えば、本発明の昇降天板付きデスクにおいて、天板の平面視形状は、略正方形や略円形に限定されず、例えば長方形、台形、Ｌ字形、楕円形など、他の形状であってもよい。また、昇降ユニットを有する脚部の本数は、１本又は３本以上であってもよい。
【００７３】
また、上記実施形態では、制御ユニット６を支持するユニット支持部材２６は、梁部材１６又は１８に取り付けられているが、天板２の下面に直接又は他の部材を介して取り付けられていてもよい。
【符号の説明】
【００７４】
１  昇降天板付きデスク
１Ａ  昇降天板付きデスク
２  天板
２ａ  開口部
４  昇降ユニット
４ａ  端子接続部
５  脚部
６  制御ユニット
１６  内側梁部材
１７  外側梁部材
１８  補強梁部材
２６  ユニット支持部材
２６ａ  載置部
Ｗ  間隔
【図１】
2019076392.tif 000003
【図２】
2019076392.tif 000004
【図３】
2019076392.tif 000005
【図４】
2019076392.tif 000006
【図５】
2019076392.tif 000007
【図６】
2019076392.tif 000008
【図７】
2019076392.tif 000009
【図８】
2019076392.tif 000010
【図９】
2019076392.tif 000011
【図１０】
2019076392.tif 000012
【図１１】
2019076392.tif 000013
【図１２】
2019076392.tif 000014
【図１３】
2019076392.tif 000015
【図１４】
2019076392.tif 000016
【図１５】
2019076392.tif 000017
【図１６】
2019076392.tif 000018
【図１７】
2019076392.tif 000019
【図１８】
2019076392.tif 000020